(57)【特許請求の範囲】
【請求項１】
幅方向一対の脚縦杆（９）と一対の脚縦杆（９）に連結した複数の脚横杆（１０）とを有するデスク脚体（３）と、幅方向一対のラック縦杆（２１）と一対のラック縦杆（２１）に連結した複数のラック横杆（２２）とを有するラダーラック（４）と、前後一対の載置杆（５）と、前後の載置杆（５）上に載置固定されるデスク天板（６）とを備えたシステムデスクであって、
ラダーラック（４）はデスク脚体（３）よりも上下方向に長く形成されると共に、そのラック縦杆（２１）の上部が天井に突っ張って固定できるように伸縮調整自在とされ、
デスク脚体（３）がデスク天板（６）の側部を支持する側部脚を構成するように、デスク脚体（３）の一対の脚縦杆（９）上部が前後の載置杆（５）の一端部にそれぞれ連結可能とされると共に、ラダーラック（４）がデスク天板（６）の側部を支持する側部脚を構成するように、ラダーラック（４）の一対のラック縦杆（２１）の中途部が前後の載置杆（５）の他端部にそれぞれ連結可能とされていることを特徴とするシステムデスク。
【請求項２】
デスク天板（６）は長方形の板状に形成され、デスク天板（６）の４つの角部にそれぞれ切欠凹部（５３）が形成され、デスク天板（６）はその前端部が前側の載置杆（５）上に載置され、後端部が後側の載置杆（５）上に載置され、デスク天板（６）の各切欠凹部（５３）がデスク脚体（３）の脚縦杆（９）の上部又はラダーラック（４）のラック縦杆（２１）の中途部に嵌合され、デスク天板（６）の左右両端部は、デスク脚体（３）の上部の脚横杆（１０）上又はラダーラック（４）の中途部のラック横杆（２２）上に配置されていることを特徴とする請求項１に記載のシステムデスク。
【請求項３】
デスク脚体（３）の幅方向一対の脚縦杆（９）の離間幅とラダーラック（４）の幅方向一対のラック縦杆（２１）の離間幅とが同一幅に設定され、デスク脚体（３）の複数の脚横杆（１０）とラダーラック（４）の複数のラック横杆（２２）とが互いに対応して上下に方向に等間隔おきに配置されており、
引出し（６７）や棚板（６５）等の付属品が具備され、付属品をデスク脚体（３）又はラダーラック（４）に着脱自在でかつ使用可能状態に装着するように上下に対応する複数の脚横杆（１０）又は上下に対応する複数のラック横杆（２２）に係合固定される支持ステー（７０）が前記付属品に固設されていることを特徴とする請求項１又は２に記載のシステムデスク。
【請求項４】
幅方向一対の脚縦杆（９）と一対の脚縦杆（９）に連結した複数の脚横杆（１０）とを有するデスク脚体（３）と、幅方向一対のラック縦杆（２１）と一対のラック縦杆（２１）に連結した複数のラック横杆（２２）とを有するラダーラック（４）と、前後一対の載置杆（５）と、前後の載置杆（５）上に載置固定されるデスク天板（６）とを備えたシステムデスクであって、
ラダーラック（４）はデスク脚体（３）よりも上下方向に長く形成されると共に、そのラック縦杆（２１）の上部が天井に突っ張って固定できるように伸縮調整自在とされており、
デスク脚体（３）の幅方向一対の脚縦杆（９）の離間幅とラダーラック（４）の幅方向一対のラック縦杆（２１）の離間幅とが同一幅に設定されており、
デスク脚体（３）とラダーラック（４）との少なくとも一方は２体備えられており、
前後一対の載置杆（５）の一端部と、前後一対の載置杆（５）の他端部と、後側の載置杆（５）の後部及びこの後側の載置杆（５）の端部に連結されたデスク脚体（３）の脚縦杆（９）の上部又はラダーラック（４）のラック縦杆（２１）の上下中途部との３個所において、
第１個所に第１体目のデスク脚体（３）の脚縦杆（９）の上部が連結され、
第２個所に第１体目のラダーラック（４）のラック縦杆（２１）の上下中途部が連結され、
第３個所に第２体目のデスク脚体（３）の脚縦杆（９）の上部又はラダーラック（４）のラック縦杆（２１）の上下中途部が連結されていることを特徴とするシステムデスク。
【請求項５】
前記後側の載置杆（５）の一端部にデスク脚体（３）の脚縦杆（９）の上部が連結され、かつ前記後側の載置杆（５）の他端部にラダーラック（４）のラック縦杆（２１）の上下中途部が連結され、
前記脚縦杆（９）の下部とラック縦杆（２１）の下部とを連結する下連結杆（５７）が具備されていることを特徴とする請求項１〜４のいずれかに記載のシステムデスク。
【発明の詳細な説明】
【技術分野】
【０００１】
本発明は、種々の形状に組み立て可能なシステムデスクに関するものである。
【背景技術】
【０００２】
学習机等のデスクには、天板と天板の一側部を支持する収納ラックと天板の他側部を支持する脚体とを備えたものがあり、この種の従来のデスクは、天板に対して脚体や収納ラックの取付位置や向きが予め特定されていた。また、デスクの一部を構成するこの収納ラックは部屋の床等に設置するようになっているのみで、単独で部屋等に設置される収納ラックとは異なり、天井に突っ張って固定するようにはなっていなかった（例えば特許文献１）。
【先行技術文献】
【特許文献】
【０００３】
【特許文献１】特開２００２−１０８３６号公報
【発明の概要】
【発明が解決しようとする課題】
【０００４】
従って、従来の場合、部屋の大きさや状況又は好み等に応じて、天板に対して脚体やラックの位置や向きを大きく変更して取り付けたり、ラックを天板とは独立して設置したりすることができず、汎用性に欠け不便であった。
また、ラックは部屋の床等に設置するのみであるから、ラックをデスクの天板の高さよりも相当高く形成すると、ラック乃至デスクが不安定になって転倒し易くなったりガタ付いたりするという問題があった。
【０００５】
本発明は上記問題点に鑑み、天板に対して脚体やラックの位置や向きを大きく変更して取り付けたり、ラックをデスクとは独立して設置したりすることができて、汎用性が大きくて便利に使用することができ、しかも、ラックをデスクの天板の高さよりも相当高く形成しても、ラック乃至デスクが転倒し易くなったりガタ付いたりすることなく安定に設置することができるシステムデスクを提供することを目的としている。
【課題を解決するための手段】
【０００６】
本発明における課題解決のための具体的手段は、次の通りである。
この技術的課題を解決する本発明の技術的手段は、幅方向一対の脚縦杆９と一対の脚縦杆９に連結した複数の脚横杆１０とを有するデスク脚体３と、幅方向一対のラック縦杆２１と一対のラック縦杆２１に連結した複数のラック横杆２２とを有するラダーラック４と、前後一対の載置杆５と、前後の載置杆５上に載置固定されるデスク天板６とを備えたシステムデスクであって、
ラダーラック４はデスク脚体３よりも上下方向に長く形成されると共に、そのラック縦杆２１の上部が天井に突っ張って固定できるように伸縮調整自在とされ、
デスク脚体３がデスク天板６の側部を支持する側部脚を構成するように、デスク脚体３の一対の脚縦杆９上部が前後の載置杆５の一端部にそれぞれ連結可能とされると共に、ラダーラック４がデスク天板６の側部を支持する側部脚を構成するように、ラダーラック４の一対のラック縦杆２１の中途部が前後の載置杆５の他端部にそれぞれ連結可能とされている点にある。
【０００７】
また、本発明の他の技術的手段は、デスク天板６は長方形の板状に形成され、デスク天板６の４つの角部にそれぞれ切欠凹部５３が形成され、デスク天板６はその前端部が前側の載置杆５上に載置され、後端部が後側の載置杆５上に載置され、デスク天板６の各切欠凹部５３がデスク脚体３の脚縦杆９の上部又はラダーラック４のラック縦杆２１の中途部に嵌合され、デスク天板６の左右両端部は、デスク脚体３の上部の脚横杆１０上又はラダーラック４の中途部のラック横杆２２上に配置されている点にある。
【０００８】
また、本発明の他の技術的手段は、デスク脚体３の幅方向一対の脚縦杆９の離間幅とラダーラック４の幅方向一対のラック縦杆２１の離間幅とが同一幅に設定され、デスク脚体３の複数の脚横杆１０とラダーラック４の複数のラック横杆２２とが互いに対応して上下に方向に等間隔おきに配置されており、
引出し６７や棚板６５等の付属品が具備され、付属品をデスク脚体３又はラダーラック４に着脱自在でかつ使用可能状態に装着するように上下に対応する複数の脚横杆１０又は上下に対応する複数のラック横杆２２に係合固定される支持ステー７０が前記付属品に固設されている点にある。
【０００９】
また、本発明の他の技術的手段は、幅方向一対の脚縦杆９と一対の脚縦杆９に連結した複数の脚横杆１０とを有するデスク脚体３と、幅方向一対のラック縦杆２１と一対のラック縦杆２１に連結した複数のラック横杆２２とを有するラダーラック４と、前後一対の載置杆５と、前後の載置杆５上に載置固定されるデスク天板６とを備えたシステムデスクであって、
ラダーラック４はデスク脚体３よりも上下方向に長く形成されると共に、そのラック縦杆２１の上部が天井に突っ張って固定できるように伸縮調整自在とされており、
デスク脚体３の幅方向一対の脚縦杆９の離間幅とラダーラック４の幅方向一対のラック縦杆２１の離間幅とが同一幅に設定されており、
デスク脚体３とラダーラック４との少なくとも一方は２体備えられており、
前後一対の載置杆５の一端部と、前後一対の載置杆５の他端部と、後側の載置杆５の後部及びこの後側の載置杆５の端部に連結されたデスク脚体３の脚縦杆９の上部又はラダーラック４のラック縦杆２１の上下中途部との３個所において、
第１個所に第１体目のデスク脚体３の脚縦杆９の上部が連結され、
第２個所に第１体目のラダーラック４のラック縦杆２１の上下中途部が連結され、
第３個所に第２体目のデスク脚体３の脚縦杆９の上部又はラダーラック４のラック縦杆２１の上下中途部が連結されている点にある。
【００１０】
また、本発明の他の技術的手段は、前記後側の載置杆５の一端部にデスク脚体３の脚縦杆９の上部が連結され、かつ前記後側の載置杆５の他端部にラダーラック４のラック縦杆２１の上下中途部が連結され、
前記脚縦杆９の下部とラック縦杆２１の下部とを連結する下連結杆５７が具備されている点にある。
【発明の効果】
【００１１】
本発明によれば、システムデスクを組み立てる場合、前後の載置杆の両端部にデスク脚体の上部とラダーラックの中途部とをそれぞれ連結して、デスク脚体でデスク天板の一側部を支持する側部脚を構成すると共に、ラダーラックでデスク天板の他側部を支持する側部脚を構成することができる。
前後の載置杆の両端部に一対のデスク脚体の上部をそれぞれ連結し、後側の載置杆の後部にラダーラックの上下中途部を連結して構成したり、前後の載置杆の両端部に一対のラダーラックの中途部をそれぞれ連結し、後側の載置杆の後部にデスク脚体の上部を連結して構成したりすることができ、デスク天板の左方、右方、後方のどちら側にデスク脚体又はラダーラックを配置するかも使用者の好みや使用者が左利きか右利きかの相違に応じて自由に選択することができる。
【００１２】
また、ラダーラックのラック縦杆の上部を伸縮調整することにより、ラダーラックを天井に突っ張って固定することができ、ラダーラックを相当高く形成しても、ラダーラック乃至システムデスクをガタ付いたり転倒したりするおそれなく安定に設置することができる。
従って、デスク天板に対してデスク脚体やラダーラックの位置や向きを大きく変更して配置でき、汎用性が大きくて便利に使用することができ、しかも、ラダーラックをデスク天板の高さよりも相当高く形成しても、ラダーラック乃至システムデスクが転倒し易くなったりガタ付いたりすることなく安定に設置することができる。
【図面の簡単な説明】
【００１３】
【図１】本発明の第１実施形態を示すシステムデスクの斜視図である。
【図２】同システムデスクの正面図である。
【図３】同システムデスクの前側上部の正面断面図である。
【図４】同システムデスクの前側右部の平面図である。
【図５】同システムデスクの前側右部の分解斜視図である。
【図６】同システムデスクの後側下部の正面断面図である。
【図７】同ラック縦杆の上部の正面断面図である。
【図８】同ラック縦杆の下部の正面断面図である。
【図９】同システムデスクの後側上部の平面断面図である。
【図１０】同システムデスクの後側下部の平面断面図である。
【図１１】デスク脚体を示し、(ａ)はその正面図、(ｂ)はその側面図である。
【図１２】ラダーラックを示し、(ａ)はその正面図、(ｂ)はその側面図である。
【図１３】ペンホルダーの斜視図である。
【図１４】ブックフックの斜視図である。
【図１５】棚板の斜視図である。
【図１６】仕切り具の斜視図である。
【図１７】引出しの斜視図である。
【図１８】引出し用の支持ステーの斜視図である。
【図１９】プリンター台の斜視図である。
【図２０】プリンター台用の支持ステーの斜視図である。
【図２１】システムデスクの組み立て例を示す斜視図である。
【図２２】システムデスクの組み立て例を示す斜視図である。
【図２３】システムデスクの組み立て例を示す斜視図である。
【図２４】システムデスクの組み立て例を示す斜視図である。
【図２５】システムデスクの組み立て例を示す斜視図である。
【図２６】第２実施形態を示すシステムデスクの前側上部の正面断面図である。
【図２７】第３実施形態を示すシステムデスクの斜視図である。
【図２８】第４実施形態を示すシステムデスクの斜視図である。
【図２９】ラダーラックの変形例を示す斜視図である。
【図３０】ラダーラックの他の変形例を示す斜視図である。
【発明を実施するための形態】
【００１４】
以下、本発明の実施の形態を図面に基づいて説明する。
図１〜図２５は本発明の第１実施形態を示している。図１〜図１０において、システムデスク１は、一対のデスク脚体３と、１又は一対のラダーラック４と、前後一対の載置杆５と、デスク天板６とを備えている。
図１１にも示すように、デスク脚体３は、同一のものが一対あって、それぞれスチール等により構成され、幅方向一対の角筒状の脚縦杆９と一対の脚縦杆９に連結した多数の円筒状の脚横杆１０とを有し、横幅が例えば６００ｍｍ程度に形成されている。
【００１５】
幅方向一対の脚縦杆９はデスク天板６の前後幅と略同一幅で互いに離間して配置され、多数（図例では７本）の脚横杆１０によって連結されている。脚横杆１０は脚縦杆９の長手方向に一定間隔おきに配置されて両端部がそれぞれ一対の脚縦杆９に溶接等で連結固定されている。
図６に示すように、デスク脚体３の一対の脚縦杆９の下部にねじ孔１１を有するナット部材１２が内嵌固定され、高さ調整ボルト１３がナット部材１２に下側から上下方向に移動調整自在に螺合されており、高さ調整ボルト１３によってデスク脚体３は高さ調整できるようになっている。
【００１６】
デスク脚体３の一対の脚縦杆９の上部と下部とに、デスク脚体３の幅方向に対して直交する水平方向に貫通形成した上取付孔１５と下取付孔１６とがそれぞれ設けられている。
デスク脚体３の一対の脚縦杆９の上部と下部とであってデスク脚体３幅方向の外面側に、デスク脚体３の幅方向に貫通形成した上ねじ孔１７と下ねじ孔１８とがそれぞれ設けられている。
【００１７】
図１２にも示すように、ラダーラック４は、１つ又は一対あって、スチール等により構成され、幅方向一対の角筒状のラック縦杆２１と一対のラック縦杆２１に連結した多数の円筒状のラック横杆２２とを有し、横幅がデスク脚体３と同様に例えば６００ｍｍ程度に形成されている。
幅方向一対のラック縦杆２１はデスク天板６の前後幅と略同一幅で互いに離間して配置され、多数のラック横杆２２によって連結されている。ラック横杆２２はラック縦杆２１の長手方向に一定間隔おきに配置されて両端部がそれぞれ一対のラック縦杆２１に溶接等により連結固定されている。
【００１８】
ラダーラック４はデスク脚体３よりも上下方向に長く形成されると共に、そのラック縦杆２１の上部が天井に突っ張って固定できるように伸縮調整自在とされている。
ラダーラック４の一対のラック縦杆２１の中途部と下部とに、ラダーラック４の幅方向に対して直交する水平方向に貫通形成した上取付孔１５と下取付孔１６とがそれぞれ設けられている。これら上取付孔１５、下取付孔１６は、デスク脚体３の上取付孔１５、下取付孔１６に対応する（と同一）高さに設けられている。
【００１９】
ラダーラック４の一対のラック縦杆２１の中途部と下部とであってラダーラック４幅方向の外面側に、ラダーラック４の幅方向に貫通形成した上ねじ孔１７と下ねじ孔１８とがそれぞれ設けられている。これら上下ねじ孔１７，１８は、デスク脚体３の上下ねじ孔１７，１８に対応する（と同一）高さに設けられている。
各ラック縦杆２１の上部に、図７に示すように、円筒状の内筒杆２５が上方に出退移動自在に内嵌保持され、ラック縦杆２１の上部にナット２７が固着され、このナット２７に締付ボルト２６がラック縦杆２１の内方に向けて出退移動自在に螺合されており、締付ボルト２６を締め付けることにより締付ボルト２６で内筒杆２５をラック縦杆２１の内面に押圧してラック縦杆２１に対して上下移動不能に固定できるようになっている。
【００２０】
また、内筒杆２５の上部にねじ棒２８が支持筒体２９を介して上下移動自在でかつ軸心廻りに回動自在に内嵌保持され、内筒杆２５の上部に支持筒体２９が内嵌固定され、支持筒体２９にねじ棒２８が貫通状に挿通されている。ねじ棒２８の下部に抜止用ナット３０が螺合され、ねじ棒２８の上部に上ナット３１と下ナット３２とが螺合され、上ナット３１の上端に上当接片３３が水平方向の外方に突出するように固設されている。ねじ棒２８上部の下ナット３２下方にコイルバネ３５が外嵌されると共に、コイルバネ３５の上下に上バネ受け３６と下バネ受け３７とが外嵌されており、コイルバネ３５の下部が下バネ受け３７を介して支持筒体２９に当接されると共にコイルバネ３５の上部が上バネ受け３６を介して下ナット３２に当接されており、コイルバネ３５によってねじ棒２８を内筒杆２５に対して上方に付勢している。
【００２１】
而して、ねじ棒２８の上端に上当接片３３があり、上当接片３３は長い長方板形状に形成され、その幅は内筒杆２５の直径と略同一長さに設定され、内筒杆２５の外周面から径外方向に大きく突出していて、ねじ棒２８と共にねじ棒２８の軸心廻りに回動自在になっており、コイルバネ３５によりねじ棒２８を上方に向けて付勢して、上当接片３３を天井に押圧接当するようになっている。
【００２２】
従って、一対のラック縦杆２１の上部が伸縮調整によってねじ棒２８を介して弾性的に天井に突っ張って固定できるようになっている。
また、図８に示すように、一対のラック縦杆２１の下部にねじ孔３９を有するナット部材４０が内嵌固定され、このナット部材４０に高さ調整ボルト４１が出退移動自在に螺合されている。高さ調整ボルト４１の下端部に下当接片４３が高さ調整ボルト４１のボルト軸廻りに回動自在に取り付けられている。下当接片４３は前記上当接片３３と同様の長い長方板形状に形成されており、ラック縦杆２１の外周面よりも水平方向に大きく突出している。
【００２３】
ラダーラック４の幅方向一対のラック縦杆２１の離間幅とデスク脚体３の幅方向一対の脚縦杆９の離間幅とが同一幅に設定され、ラダーラック４の多数のラック横杆２２とデスク脚体３の多数の脚横杆１０とが互いに対応して上下方向に等間隔おきに配置され、ラダーラック４とデスク脚体３とは互いに同一幅に形成されている。
また、一対のラック縦杆２１と一対の脚縦杆９とは長さが互いに異なっているが、その断面形状等は同一形状に形成され、また、多数のラック横杆２２と多数の脚横杆１０とは互いに同一形状に形成されている。
【００２４】
前後一対の載置杆５は、スチール等によって、ラック縦杆２１及び脚縦杆９と同様に角筒状に形成されている。図３、図９に示すように、各載置杆５の両端部にねじ孔４５を有するナット板４６が溶接等により内嵌固定されている。
而して、図１に示すようにデスク脚体３をデスク天板６の側方側に取り付ける場合には、図３〜図５及び図９に示すように、締付ボルト４７をデスク脚体３の脚縦杆９の上取付孔１５に挿通して載置杆５のナット板４６に螺合して締め付けることにより、デスク脚体３がデスク天板６の側部を支持する側部脚を構成するように、デスク脚体３の一対の脚縦杆９上部が前後の載置杆５の端部にそれぞれ連結可能とされている。
【００２５】
また、図２２に示すようにラダーラック４をデスク天板６の側方側に取り付ける場合には、図示省略しているが、締付ボルト４７をラダーラック４のラック縦杆２１の上取付孔１５に挿通して載置杆５のナット板４６に螺合して締め付けることにより、ラダーラック４がデスク天板６の側部を支持する側部脚を構成するように、ラダーラック４の一対のラック縦杆２１の中途部が前後の載置杆５の端部にそれぞれ連結可能とされている。
【００２６】
また、図９に示すように、後側の載置杆５の左右方向中途部に前後方向のねじ孔４９が左右一対形成されている。
而して、図１、図２１、図２４に示すようにラダーラック４をデスク天板６の後側に取り付ける場合には、図９に示すように、ラダーラック４の一方のラック縦杆２１の上取付孔１５に締付ボルト５０を後側から挿通してデスク脚体３の脚縦杆９（又はラダーラック４のラック縦杆２１）の上ねじ孔１７に螺合して締め付けると共に、ラダーラック４の他方のラック縦杆２１の上取付孔１５に締付ボルト５０を挿通して後側の載置杆５のねじ孔４９に螺合して締め付けることにより、ラダーラック４がデスク天板６の後部を支持する後部脚を構成するようにデスク天板６の後側に連結可能とされている。
【００２７】
また、図２２、図２３に示すようにデスク脚体３をデスク天板６の後側に取り付ける場合には、図示省略しているが、デスク脚体３の一方の脚縦杆９の上取付孔１５に締付ボルト５０を後側から挿通してデスク脚体３の脚縦杆９（又はラダーラック４のラック縦杆２１）の上ねじ孔１７に螺合して締め付けると共に、デスク脚体３の他方の脚縦杆９の上取付孔１５に締付ボルト５０を挿通して後側の載置杆５のねじ孔４９に螺合して締め付けることにより、デスク脚体３がデスク天板６の後部を支持する後部脚を構成するようにデスク天板６の後側に連結可能とされている。
【００２８】
即ち、前記後側の載置杆５の後部、及び、この後側の載置杆５の端部に連結されたデスク脚体３の脚縦杆９の上部又はラダーラック４のラック縦杆２１の上下中途部においては、デスク天板６の後側に配置されるラダーラック４のラック縦杆２１の上下中途部又はデスク脚体３の脚縦杆９の上部が連結可能になっている。
デスク脚体３とラダーラック４との少なくとも一方は２体備えられており、ラダーラック４のラック縦杆２１の上下中途部とデスク脚体３の脚縦杆９の上部とが連結可能である個所は、前後一対の載置杆５の一端部と、前後一対の載置杆５の他端部と、後側の載置杆５の後部及びこの後側の載置杆５の端部に連結されたデスク脚体３の脚縦杆９の上部又はラダーラック４のラック縦杆２１の上下中途部との３個所である。その３個所の内、第１個所に第１体目のデスク脚体３の脚縦杆９の上部が連結され、第２個所に第１体目のラダーラック４のラック縦杆２１の上下中途部が連結され、第３個所に第２体目のデスク脚体３の脚縦杆９の上部又はラダーラック４のラック縦杆２１の上下中途部が連結されている。
【００２９】
デスク天板６は、強化ガラス製であって、例えば左右幅が１２００ｍｍで前後幅が６００ｍｍ程度の長方形の板状に形成され、前後の載置杆５上に載置固定されている。
デスク天板６の４つの角部にそれぞれ矩形状の切欠凹部５３が形成されており、デスク天板６はその前端部が複数のクッション５４を介して前側の載置杆５上に載置され、後端部が複数のクッション５４を介して後側の載置杆５上に載置され、デスク天板６の各切欠凹部５３がデスク脚体３の脚縦杆９の上部又はラダーラック４のラック縦杆２１の中途部に嵌合され、デスク天板６の左右両端部は、デスク脚体３の上部の脚横杆１０上又はラダーラック４の中途部のラック横杆２２上に配置されている。
【００３０】
クッション５４はゴム等により切頭円錐状に形成され、その下面に設けた図示省略の両面粘着テープによって前後の載置杆５の両端部上にそれぞれ接着固定されている。
後側の脚縦杆９又はラック縦杆２１の下部同士等を連結するための円筒状の下連結杆５７が具備されており、図１０に示すように、下連結杆５７の両端部にねじ孔５８を有するナット板５９が溶接等により内嵌固定されている。
【００３１】
而して、例えば、図１、図２１、図２４に示すように、一対のデスク脚体３でデスク天板６の両側部を支持する側部脚を構成する場合には、後側の脚縦杆９の下部間に下連結杆５７を配置し、図１０に示すように、締付ボルト６０を後側の脚縦杆９の下取付孔１６に挿通して下連結杆５７のナット板５９に螺合して締め付けることにより、後側の脚縦杆９の下部同士を下連結杆５７で連結できるように構成されている。
【００３２】
また、図２５に示すように、一対のラダーラック４でデスク天板６の両側部を支持する側部脚を構成する場合には、後側のラック縦杆２１の下部間に下連結杆５７を配置し、締付ボルト６０を後側のラック縦杆２１の下取付孔１６に挿通して下連結杆５７のナット板５９に螺合して締め付けることにより、後側のラック縦杆２１の下部同士を下連結杆５７で連結可能になっている。
【００３３】
また、図２２又は図２３に示すように、デスク脚体３とラダーラック４とでデスク天板６の側部を支持する側部脚を構成する場合には、後側の脚縦杆９と後側のラック縦杆２１との下部間に下連結杆５７を配置し、締付ボルト６０を後側の脚縦杆９又はラック縦杆２１の下取付孔１６に挿通して下連結杆５７のナット板５９に螺合して締め付けることにより、デスク脚体３の後側の脚縦杆９とラダーラック４の後側のラック縦杆２１の下部同士も下連結杆５７で連結可能になっている。
【００３４】
図１０に示すように、下連結杆５７の中途部にねじ孔６１が左右一対形成されており、例えば、図１に示すように、一対のデスク脚体３でデスク天板６の両側部を支持する側部脚を構成しているときに、ラダーラック４でデスク天板６の後部を支持する後部脚を構成する場合には、図１０に示すように、一方（幅方向外側）のラック縦杆２１の下取付孔１６に後側から締付ボルト６２を挿通して脚縦杆９の下ねじ孔１８に螺合して締め付けると共に、他方（幅方向内側）のラック縦杆２１の下取付孔１６に後側から締付ボルト６２を挿通して下連結杆５７のねじ孔５８に螺合して締め付けることにより、一対のラック縦杆２１の下部を脚縦杆９の下部又は下連結杆５７に連結固定できるようになっている。
【００３５】
また、図２２、図２３又は図２５に示すように、デスク脚体３でデスク天板６の後部を支持する後部脚を構成する場合には、図示省略しているが、一方（幅方向外側）の脚縦杆９の下取付孔１６に後側から締付ボルト６２を挿通して脚縦杆９（又はラック縦杆２１）の下ねじ孔１８に螺合して締め付けると共に、他方（幅方向内側）の脚縦杆９の下取付孔１６に後側から締付ボルト６２を挿通して下連結杆５７のねじ孔６１に螺合して締め付けることにより、一対のデスク脚体３の下部を脚縦杆９（又はラック縦杆２１）の下部又は下連結杆５７に連結固定できるようになっている。
【００３６】
図１に示すように、システムデスク１の付属品として、ペンホルダー６３、ブックラック６４、棚板６５、仕切り具６６、引出し６７、プリンター台６８が具備されている。
図１３に示すように、ペンホルダー６３は上端に開口部を有する有底円筒状に形成され、その外周面側に支持ステー７０が固設されており、支持ステー７０は金属棒材等を折曲してなる係合体７３を備えてなり、係合体７３は上側に逆Ｕ字状に屈曲したフック部７１を有すると共に下側に水平状に外方突出した係合部７２を有し、フック部７１をデスク脚体３の脚横杆１０又はラダーラック４のラック横杆２２に上側から引っ掛けると共に、係合部７２をその直ぐ下方の脚横杆１０又はラック横杆２２に対して下側から係合させることにより、ペンホルダー６３がデスク脚体３又はラダーラック４にその開口部を上に向けた使用可能状態に着脱自在に装着されている。
【００３７】
図１４に示すように、ブックラック６４は、金属線材により上端が開口した扁平なかご形に形成され、その幅方向両端部の後側から上方突出して逆Ｕ字状に折曲した一対のフック部７１が形成されている。この場合、フック部７１をデスク脚体３の脚横杆１０又はラダーラック４のラック横杆２２に上側から引っ掛けると共に、ブックラック６４の後面側をその下方の脚横杆１０又はラック横杆２２に当接させることにより、ブックラック６４がデスク脚体３又はラダーラック４にその開口部を上に向けた使用可能状態で着脱自在に装着されている。
【００３８】
図１５に示すように、棚板６５は板状に形成されており、この棚板６５に一対の支持ステー７０が固設されて棚板ユニット６５Ａが構成されている。一対の支持ステー７０は、棚板６５の下面に配置されてボルト７５で締め付け固定された支持杆７６と支持杆７６の後端部から上下方向に突出した係合体７３とを備え、係合体７３は上側にコの字状に折曲したフック部７１を有すると共に、下側に水平状に突出した係合部７２を有しており、フック部７１をデスク脚体３の脚横杆１０又はラダーラック４のラック横杆２２に上側から引っ掛けると共に、係合部７２をその直ぐ下方の脚横杆１０又はラック横杆２２に対して下側から係合することにより、棚板６５がデスク脚体３又はラダーラック４に着脱自在でかつ水平状態（使用可能状態）に装着されている。
【００３９】
図１６に示すように、仕切り具６６に支持ステー７０が取り付けられて仕切りユニット６６Ａが構成されている。支持ステー７０は上下方向の金属板により構成した係合体７３を備えてなり、係合体７３の上側にコの字状に折曲したフック部７１が形成され、下側に水平状に後方突出した係合部７２が形成され、フック部７１の上板部に締付ボルト７９が上下方向に出退移動自在に螺合されている。仕切り具６６は金属棒材等をＵ字状に折曲してなり、支持ステー７０の上下中途部から前方に突出されており、フック部７１をデスク脚体３の脚横杆１０又はラダーラック４のラック横杆２２に上側から引っ掛けると共に、係合部７２をその直ぐ下方の脚横杆１０又はラック横杆２２に対して下側から係合することにより、デスク脚体３又はラダーラック４に仕切り具６６が使用可能状態で前方突出するように着脱自在に装着され、このときに、締付ボルト７９を締め付けることによって、締付ボルト７９で支持ステー７０を上下に隣り合う脚横杆１０又はラック横杆２２に対してガタ付かないように締め付け固定できるようになっている。
【００４０】
而して、図１に示すように、デスク脚体３又はラダーラック４に装着した棚板６５の直ぐ上方に仕切り具６６を装着することによって、棚板６５の上側を仕切り具６６で左右等に仕切ることができるようになっている。
図１７図に示すように、引出し６７に一対の支持ステー７０が取り付けられて引出しユニット６７Ａが構成されている。引出し６７は角筒状のケース体８１とケース体８１に前方に引き出し自在に内嵌保持された引出し体８２とを有している。
【００４１】
各支持ステー７０は、図１８にも示すように、ケース体８１の下面に配置されてボルト７５で締め付け固定された支持杆７６と、支持杆７６の端部に上下方向に突出するように固着された係合体７３とを有している。係合体７３はケース体８１の外側面に配置されてボルト７５で締め付け固定され、上側にコの字状に折曲したフック部７１を有すると共に下側に水平状に外方突出した係合部７２を有しており、フック部７１をデスク脚体３の脚横杆１０又はラダーラック４のラック横杆２２に上側から引っ掛けると共に、係合部７２をその直ぐ下方の脚横杆１０又はラック横杆２２に対して下側から係合することにより、引出し６７がデスク脚体３又はラダーラック４に着脱自在でかつ使用可能状態（水平状態）に装着されている。
【００４２】
図１９に示すように、プリンター台６８に一対の支持ステー７０が取り付けられてプリンター台ユニット６８Ａが構成されている。支持ステー７０は、図２０にも示すように、プリンター台６８の下面に幅方向に配置されてボルト７５で締め付け固定された支持杆７６と、支持杆７６の端部に上下方向に突出するように固着された係合体７３とを有し、支持杆７６と係合体７３とは円弧状の連結体８４で連結されている。係合体７３は上側にコの字状に折曲したフック部７１を有すると共に下側に水平状に突出した係合部７２を有しており、フック部７１をデスク脚体３の脚横杆１０又はラダーラック４のラック横杆２２に上側から引っ掛けると共に、係合部７２をその２段下方の脚横杆１０又はラック横杆２２に対して下側から係合することにより、プリンター台６８がデスク脚体３又はラダーラック４に着脱自在でかつ水平状態（使用可能状態）に装着されている。
【００４３】
従って、ペンホルダー６３や引出し６７や棚板６５やプリンター台６８等の付属品をデスク脚体３又はラダーラック４に着脱自在でかつ使用可能状態に装着するように、付属品に上下に対応する複数の脚横杆１０又は上下に対応する複数のラック横杆２２に係合固定される支持ステー７０が固設されている。
前記第１実施形態によれば、システムデスク１を組み立てる場合、例えば、図１に示すように、前後の載置杆５の両端部に、一対のデスク脚体３の一対の脚縦杆９の上部をそれぞれ連結固定して、一対のデスク脚体３でデスク天板６の両側部を支持する側部脚を構成し、この一対のデスク脚体３の後側の脚縦杆９の下部同士を下連結杆５７で連結固定することができる。また、この場合に、デスク天板６の後側にラダーラック４を配置し、ラダーラック４の一対のラック縦杆２１の中途部をデスク脚体３の後側脚縦杆９の上部と後側載置杆５の中途部とにそれぞれ連結固定すると共に、一対のラック縦杆２１の下部をデスク脚体３の後側脚縦杆９の下部と下連結杆５７の中途部とに連結固定して、ラダーラック４でデスク天板６の後部左側を支持する後部脚を構成することができる。
【００４４】
また、図２１に示すように、図１の場合と同様に一対のデスク脚体３でデスク天板６の両側部を支持する側部脚を構成することができ、この場合に、ラダーラック４でデスク天板６の後部右側を支持する後部脚を構成することができる。
また、図２２に示すように、前後の載置杆５の左端部にラダーラック４の一対の脚縦杆９の中途部をそれぞれ連結固定して、ラダーラック４でデスク天板６の左側部を支持する側部脚を構成すると共に、前後の載置杆５の右端部にデスク脚体３の一対のデスク縦杆の上部をそれぞれ連結固定して、デスク脚体３でデスク天板６の右側部を支持する側部脚を構成し、これらラダーラック４の後側のラック縦杆２１とデスク脚体３の後側のデスク縦杆との下部同士を下連結杆５７で連結固定することができる。また、この場合に、デスク天板６の後側にデスク脚体３を配置し、このデスク脚体３の一対のデスク縦杆の上部をラダーラック４の後側ラック縦杆２１の中途部と後側載置杆５の中途部とにそれぞれ連結固定すると共に、一対のデスク縦杆の下部をラダーラック４の後側ラック縦杆２１の下部と下連結杆５７の中途部とにそれぞれ連結固定して、デスク脚体３でデスク天板６の後部左側を支持する後部脚を構成することができる。
【００４５】
また、図２３に示すように、デスク脚体３でデスク天板６の左側部を支持する側部脚を構成すると共に、ラダーラック４でデスク天板６の右側部を支持する側部脚を構成することができ、この場合に、デスク脚体３でデスク天板６の後部左側を支持する後部脚を構成することができる。
また、図２４に示すように、図１の場合と同様に一対のデスク脚体３でデスク天板６の両側部を支持する側部脚を構成することができ、この場合に、デスク天板６の後側に一対のラダーラック４を配置し、一対のラダーラック４の一対のラック縦杆２１の中途部をデスク脚体３の後側脚縦杆９の上部と後側載置杆５の中途部とにそれぞれ連結固定すると共に、一対のラック縦杆２１の下部をデスク脚体３の後側脚縦杆９の下部と下連結杆５７の中途部とにそれぞれ連結固定して、一対のラダーラック４でデスク天板６の後部左側と後部右側とをそれぞれ支持する一対の後部脚を構成することができる。
【００４６】
また、図２５に示すように、前後の載置杆５の両端部に、一対のラダーラック４の一対のラック縦杆２１の中途部をそれぞれ連結固定して、一対のラダーラック４でデスク天板６の両側部を支持する側部脚を構成し、この一対のラダーラック４の後側のラック縦杆２１の下部同士を下連結杆５７で連結固定することができる。また、この場合に、デスク天板６の後側に一対のデスク脚体３を配置し、この一対のデスク脚体３の脚縦杆９の上部をラダーラック４の後側ラック縦杆２１の中途部と後側載置杆５の中途部とにそれぞれ連結固定すると共に、一対の脚縦杆９の下部をラダーラック４の後側ラック縦杆２１の下部と下連結杆５７の中途部とにそれぞれ連結固定して、一対のデスク脚体３でデスク天板６の後部左側と後部右側とをそれぞれ支持する一対の後部脚を構成することができる。
【００４７】
従って、システムデスク１を組み立てる場合、一対のデスク脚体３でデスク天板６の両側部を支持する一対の側部脚を構成したり、ラダーラック４でデスク天板６の一側部を支持する側部脚を構成すると共に、デスク脚体３でデスク天板６の他側部を支持する側部脚を構成したり、一対のラダーラック４でデスク天板６の両側部を支持する一対の側部脚を構成したりすることができるし、デスク天板６の左右のどちら側にラダーラック４又はデスク脚体３を配置するかも使用者の好みや使用者が左利きか右利きかの相違に応じて自由に選択することができる。
【００４８】
また、デスク脚体３やラダーラック４でデスク天板６の後部を支持する後部脚を構成することも可能になるし、また、ラダーラック４を前後の載置杆５やデスク天板６から離間して単独で設置することにより、デスク天板６とは独立して別個に使用することもできる。
しかも、ラダーラック４をデスク天板６とは独立して使用する場合でも、また、デスク天板６と共に使用する場合でも、ラダーラック４のラック縦杆２１の上部を伸縮調整することにより、ラダーラック４を天井に突っ張って固定することができ、ラダーラック４を相当高く形成しても、ラダーラック４乃至システムデスク１をガタ付いたり転倒したりするおそれなく安定に設置することができる。
【００４９】
また、第１実施形態によれば、デスク天板６はその前端部が前側の載置杆５上に載置され、後端部が後側の載置杆５上に載置され、デスク天板６の左右両端部は、デスク脚体３の上部の脚横杆１０上又はラダーラック４の中途部のラック横杆２２上に配置されている
ので、平面視において、デスク天板６の側部脚を構成するデスク脚体３の脚横杆１０又はラダーラック４のラック横杆２２及び前後の載置杆５が長方形のデスク天板６の内側に納まり、しかも、デスク脚体３の脚縦杆９又はラダーラック４のラック縦杆２１がデスク天板６の各角部の切欠凹部５３に嵌合して、デスク天板６の側部脚を構成するデスク脚体３の脚縦杆９又はラダーラック４のラック縦杆２１も、デスク天板６の外周縁の内側に納まるため、システムデスク１全体をデスク天板６の長方形内に納めることが可能になる。
【００５０】
従って、デスク天板６の大きさに比してシステムデスク１全体が小さくコンパクトになり、部屋の壁等にデスク天板６の後端縁や側端縁をピッタリ当接又は近接して配置することが可能になり、システムデスク１を部屋にコンパクトに設置して、部屋を広く使用することができる。
また、ラダーラック４の幅方向一対のラック縦杆２１の離間幅とデスク脚体３の幅方向一対の脚縦杆９の離間幅とが同一幅に設定され、ラダーラック４の多数のラック横杆２２とデスク脚体３の多数の脚横杆１０とが互いに対応して上下方向に等間隔に配置されているので、ラダーラック４とデスク脚体３とは上下方向の長さが異なるだけで、一対のラック縦杆２１と一対の脚縦杆９とを同一形状に形成すると共に、多数のラック横杆２２と多数の脚横杆１０とを同一形状に形成し、システムデスク１全体を統一したデザインになすことができ、外観上の体裁も向上させることができる。
【００５１】
しかも、支持ステー７０を使用して、デスク脚体３の脚横杆１０やラダーラック４のラック横杆２２の任意の位置に係合することにより、ペンホルダー６３や引き出しや棚板６５やプリンター台６８等の付属品を、デスク脚体３の脚横杆１０やラダーラック４に着脱自在でかつ使用可能状態に装着することができ、この点からも、使用者の好みに合わせて付属品をデスク脚体３やラダーラック４の適当な位置に自在に取り付けることができ、汎用性が大きいものになる。
【００５２】
また、デスク脚体３又はラダーラック４をデスク天板６の側部を支持する側部脚として使用しない場合でも、デスク脚体３やラダーラック４を後側の載置杆５等に連結することによって、デスク脚体３やラダーラック４を不要にすることなくデスク天板６の後部を支持する後部脚として有効に利用することができる。
しかも、デスク脚体３又はラダーラック４を後側の載置杆５に連結することにより後部脚として利用する場合、後側の載置杆５はデスク天板６の後端縁よりも内側（前側）にあるため、平面視でデスク脚体３又はラダーラック４をデスク天板６の後縁部に沿わせるように配置できてこれらがデスク天板６から大きく突出することもなくなり、システムデスク１全体をコンパクトなままに保持しておくことができる。
【００５３】
さらに、ラダーラック４のラック縦杆２１の上端部及び下端部に上当接片３３と下当接片４３とが設けられているため、これら上下当接片３３，４３を床や天井に当接させることにより、ラック縦杆２１の上端部と下端部とを広い面積で当接させて、ラダーラック４を床と天井との間に突っ張ってより安定に設置させることができる。しかも、上下当接片３３，４３を回動調整することによって、上下当接片３３，４３の突出方向を任意に変更することができ、例えば上下当接片３３，４３を平面視でデスク天板６内に納めたりして上下当接片３３，４３が邪魔にならないようにし、この点からも、ラダーラック４を部屋の壁等に近接して配置することが可能になり、非常に便利である。
【００５４】
図２６は第２実施形態を示し、デスク天板６は木製であって前記第１実施形態の場合よりも厚みが２倍程度に分厚い長方形の板状に形成されている。前記クッション５４が省略されて、デスク天板６の前端部が前側の載置杆５上に直接に載置されると共に、デスク天板６の後端部が後側の載置杆５上に直接に載置されている。
また、デスク天板６の前後両端部の左右両側に貫通孔８７が形成され、この貫通孔８７に雌ねじが形成されたねじ筒８８が内嵌固定され、前後の載置杆５にねじ筒８８に対応して取付孔８９が上下貫通状に形成されており、下側から取付孔８９に挿通されねじ筒８８に螺合する締付ボルト９０によって、デスク天板６の前後端部が前後の載置杆５に締め付け固定されている。その他の点は前記第１実施形態の場合と同様の構成である。
【００５５】
図２７は第３実施形態を示し、デスク天板６の左右幅を前記第１実施形態の場合よりも小さく形成して、ラダーラック４及びデスク脚体３の横幅と同一の長さ（例えば６００ｍｍ程度）に形成したものである。その他の点は前記第１実施形態又は第２実施形態の場合と同様の構成であり、第１実施形態場合と同様に、ラダーラック４はデスク脚体３よりも上下方向に長く形成されると共に、そのラック縦杆２１の上部が天井に突っ張って固定できるように伸縮調整自在とされ、デスク脚体３の一対の脚縦杆９上部が前後の載置杆５の端部にそれぞれ連結可能とされると共に、ラダーラック４の一対のラック縦杆２１の中途部が前後の載置杆５の端部にそれぞれ連結可能とされている。
【００５６】
図２８は第４実施形態を示し、デスク天板６の左右幅を前記第１実施形態の場合よりも小さくて前記第３実施形態の場合よりも大きく形成し、例えば９００ｍｍ程度に形成したものである。その他の点は前記第１実施形態の場合と同様の構成である。
図２９はラダーラック４の変形例を示し、ラダーラック４の上部に、複数のラック横杆２２に代えて多数の係止孔９２を有するスチール製等のパンチング板９３を設け、一対のラック縦杆２１の上部に連結固定したものである。この場合、同図に示すように、パンチング板９３の係止孔９２にＳカンフック９４を係合して、額縁や腕時計や電気器具等の小物を吊り下げたり、磁石９５を使用して写真やメモ用紙等の小物を保持しておくことができるようになっている。
【００５７】
図３０はラダーラック４の他の変形例を示し、ラダーラック４の上部に、上側が開口した断面コの字状の係止杆９７と、ラダーラック４の幅方向に長い扁平な環状に形成された係合杆９８とが上下方向に間隔をおいて順次複数ずつ配置固定されており、係止杆９７に雑誌等の下部を受けさせると共に、雑誌等の上下中途部を係合杆９８に倒れないように挿入保持して、複数の雑誌等を展示できるようにしたものである。
【００５８】
なお、前記実施形態では、一対のデスク脚体３の脚縦杆９の下部同士等を連結する下連結杆５７が具備されているが、この下連結杆５７を省略するようにしてもよい。
また、デスク天板６の大きさや形状、デスク脚体３及びラダーラック４の横幅や高さは前記実施形態の場合に限定されず、もっと大きくてもよいし小さくてもよく、デスク天板６の形状は長方板形状でなくても、台形板状、三角板形状その他であってもよい。また、デスク天板６は角部に切欠凹部５３が形成されていないものであってもよい。
【符号の説明】
【００５９】
１      システムデスク
３      デスク脚体
４      ラダーラック
５      載置杆
６      デスク天板
９      脚縦杆
１０    脚横杆
２１    ラック縦杆
２２    ラック横杆
５３    切欠凹部
５７    下連結杆
６３    ペンホルダー（付属品）
６５    棚板（付属品）
６６    仕切り具（付属品）
６７    引出し（付属品）
６８    プリンター台（付属品）
７０    支持ステー
【図１】
0006399646.tif 000002
【図２】
0006399646.tif 000003
【図３】
0006399646.tif 000004
【図４】
0006399646.tif 000005
【図５】
0006399646.tif 000006
【図６】
0006399646.tif 000007
【図７】
0006399646.tif 000008
【図８】
0006399646.tif 000009
【図９】
0006399646.tif 000010
【図１０】
0006399646.tif 000011
【図１１】
0006399646.tif 000012
【図１２】
0006399646.tif 000013
【図１３】
0006399646.tif 000014
【図１４】
0006399646.tif 000015
【図１５】
0006399646.tif 000016
【図１６】
0006399646.tif 000017
【図１７】
0006399646.tif 000018
【図１８】
0006399646.tif 000019
【図１９】
0006399646.tif 000020
【図２０】
0006399646.tif 000021
【図２１】
0006399646.tif 000022
【図２２】
0006399646.tif 000023
【図２３】
0006399646.tif 000024
【図２４】
0006399646.tif 000025
【図２５】
0006399646.tif 000026
【図２６】
0006399646.tif 000027
【図２７】
0006399646.tif 000028
【図２８】
0006399646.tif 000029
【図２９】
0006399646.tif 000030
【図３０】
0006399646.tif 000031